【手続補正書】
【提出日】平成29年8月18日(2017.8.18)
【手続補正１】
【補正対象書類名】特許請求の範囲
【補正対象項目名】全文
【補正方法】変更
【補正の内容】
【特許請求の範囲】
【請求項１】
ホバー位置における１本または複数本の指を検出するステップであって、前記１本または複数本の指が、タッチ画面から離れた距離にあり、前記ホバー位置における前記１本または複数本の指を検出することによりホバーモードが入力され、前記ホバーモードが、前記１本または複数本の指のモーションの検出を可能とする、ステップと、
前記ホバー位置における前記１本または複数本の指を検出することにより前記ホバーモードが入力されることに応答して、前記１本または複数本の指のうちの少なくとも１本のモーションを検出するステップであって、前記モーションが、前記タッチ画面上で少なくとも部分的に可視である制御インターフェースの可視性を上げるためのユーザコマンドであり、前記制御インターフェースが、前記タッチ画面上に表示される仮想要素と関連するコンテンツを制御するように構成されており、前記モーションは、前記１本または複数本の指のうちの前記少なくとも１本が前記タッチ画面にタッチせずに行われる、ステップと、
前記モーションの少なくとも一部に基づいて、少なくとも、１００％より低い第１の透明度から前記第１の透明度より低い第２の透明度へと前記制御インターフェースの透明度を下げることにより、前記制御インターフェースの前記タッチ画面上での可視性を上げるステップと、
を含む、方法。
【請求項２】
前記モーションを検出するステップは、
前記モーションが、少なくとも特定の時間期間行われることを検出するステップを含む、請求項１に記載の方法。
【請求項３】
前記制御インターフェースの前記タッチ画面上での可視性を上げるステップは、
前記制御インターフェースが部分的に透明である第１の状態から、前記制御インターフェースが不透明である第２の状態に、前記制御インターフェースを変更させるステップを含む、請求項１に記載の方法。
【請求項４】
前記制御インターフェースの前記タッチ画面上での可視性を上げるステップは、
第１の状態から第２の状態に前記制御インターフェースを変更させるステップを含み、
前記第１の状態では、前記制御インターフェースは、第１の透明度を提供するように部分的に透明であり、
前記第２の状態では、前記制御インターフェースは、前記第１の透明度より低い第２の透明度を提供するように部分的に透明である、請求項１に記載の方法。
【請求項５】
ホバー位置における１本または複数本の指を検出するように構成されたタッチ画面センサであって、前記１本または複数本の指が、タッチ画面から離れた距離にあり、前記ホバー位置における前記１本または複数本の指を検出することによりホバーモードが入力され、前記ホバーモードが、前記１本または複数本の指のモーションの検出を可能とする、タッチ画面センサと、
前記ホバー位置における前記１本または複数本の指の検出により前記ホバーモードが入力されることに応答して、前記１本または複数本の指のうちの少なくとも１本が前記タッチ画面にタッチせずに行われる前記１本または複数本の指のうちの前記少なくとも１本のモーションを検出するように構成されたジェスチャエンジンであって、前記モーションが、前記タッチ画面上の少なくとも部分的に可視である制御インターフェースの可視性を上げるためのユーザコマンドであり、前記制御インターフェースが、前記タッチ画面上に表示される仮想要素と関連するコンテンツを制御するように構成されている、ジェスチャエンジンと、
前記モーションの少なくとも一部に基づいて、少なくとも、１００％より低い第１の透明度から前記第１の透明度より低い第２の透明度へと前記制御インターフェースの透明度を下げることにより、前記タッチ画面上での前記制御インターフェースの前記可視性を上げるように構成されたレンダリングエンジンと、
を備える、システム。
【請求項６】
前記レンダリングエンジンは、前記制御インターフェースが部分的に透明である第１の状態から、前記制御インターフェースが不透明である第２の状態に、前記制御インターフェースを変更させるように構成されている、請求項５に記載のシステム。
【請求項７】
前記レンダリングエンジンは、第１の状態から第２の状態に前記制御インターフェースを変更させるように構成され、
前記第１の状態では、前記制御インターフェースは、第１の透明度を提供するように部分的に透明であり、
前記第２の状態では、前記制御インターフェースは、前記第１の透明度より低い第２の透明度を提供するように部分的に透明である、請求項５に記載のシステム。
【請求項８】
前記レンダリングエンジンは、前記制御インターフェースの一部分が前記タッチ画面上に示される第１の状態から、前記インターフェースの全体が前記タッチ画面上に示される第２の状態に、前記インターフェースを変更させるように構成され、前記部分が、前記制御インターフェースの全部より小さい、請求項５に記載のシステム。
【請求項９】
プロセッサベースのシステムをイネーブルして、制御インターフェースをタッチ画面上に提示させるためのコンピュータプログラム論理部を記録したコンピュータ可読メディアを備えるコンピュータプログラム製品であって、
前記プロセッサベースのシステムをイネーブルして、ホバー位置における１本または複数本の指を検出するための第１のプログラム論理モジュールであって、前記１本または複数本の指が前記タッチ画面から離れた距離にある、第１のプログラム論理モジュールと、
前記プロセッサベースのシステムをイネーブルして、前記タッチ画面上に表示される仮想要素と関連するコンテンツを制御するように構成された前記制御インターフェースを提示するためのユーザコマンドを検出するための第２のプログラム論理モジュールであって、前記ユーザコマンドは、前記１本または複数本の指が、少なくとも特定の時間期間、前記ホバー位置にとどまることによって特徴付けられ、前記１本または複数本の指が、少なくとも前記特定の時間期間モーションレスを維持することによってさらに特徴付けられる、第２のプログラム論理モジュールと、
前記プロセッサベースのシステムをイネーブルして、前記ユーザコマンドの検出に基づいて前記制御インターフェースを前記タッチ画面上に提示させるための第３のプログラム論理モジュールと、を備える、コンピュータプログラム製品。
【請求項１０】
前記第３のプログラム論理モジュールは、
前記プロセッサベースのシステムをイネーブルして、前記制御インターフェースが前記タッチ画面上に示されていない第１の状態から、前記制御インターフェースが前記タッチ画面上に示される第２の状態への移行を起こすための論理部を備える、請求項９に記載のコンピュータプログラム製品。
【請求項１１】
前記第３のプログラム論理モジュールは、
前記プロセッサベースのシステムをイネーブルして、前記制御インターフェースが部分的に透明である第１の状態から、前記制御インターフェースが不透明である第２の状態に、前記制御インターフェースを変更させるための論理部を備える、請求項９に記載のコンピュータプログラム製品。
【請求項１２】
前記第３のプログラム論理モジュールは、  前記プロセッサベースのシステムをイネーブルして、第１の状態から第２の状態に前記制御インターフェースを変更させるための論理部を備え、
前記第１の状態では、前記制御インターフェースは、第１の透明度を提供するように部分的に透明であり、
前記第２の状態では、前記制御インターフェースは、前記第１の透明度より低い第２の透明度を提供するように部分的に透明である、請求項９に記載のコンピュータプログラム製品。
【請求項１３】
前記第３のプログラム論理モジュールは、
前記プロセッサベースのシステムをイネーブルして、前記制御インターフェースの一部分が前記タッチ画面上に示される第１の状態から、前記制御インターフェースの全体が前記タッチ画面上に示される第２の状態に前記制御インターフェースを変更させるための論理部であって、前記部分が、前記制御インターフェースの全部より小さい、論理部を備える、請求項９に記載のコンピュータプログラム製品。